(57)【要約】【課題】同じ動作を頻繁に繰り返すなど煩雑な作業を行うことなく、相手に自力で巻き付き固定させることを実現することにより、容易に相手を保護する作業を簡易に行い得るようにして、例えば、電線の外面を容易に直接保護することのできる電線プロテクタを提供すること。【解決手段】巻き癖の付いているテープ状材料１１と、該テープ状材料を一端側から外部に引き出し可能に少なくとも当該シート状材料の中間部分を収容する収容部材１３と、を備えて、収容部材は、テープ状材料の巻き癖により移動可能な程度の重量に設定されているとともに、テープ状材料の引出方向の長さが一回の作業で巻き付けたいシート状材料の巻付量程度に形成される一方、テープ状材料の先端部１１ａには、巻き付き相手に対して斜めの姿勢で取付可能にＣリング部材１５が固着される。【選択図】図１
2009118584.tif 000002
【特許請求の範囲】
【請求項１】
巻き癖の付いているシート状材料と、該シート状材料を一端側から外部に引き出し可能に少なくとも当該シート状材料の中間部分を収容する収容部材と、を備えて、
収容部材は、シート状材料の巻き癖により移動可能な程度の重量に設定されているとともに、シート状材料の引出方向の長さが一回の作業で巻き付けたいシート状材料の巻付量程度に形成されていることを特徴とする巻付部材。
【請求項２】
巻き癖の付いているシート状材料と、一端側の心棒部材に巻き癖と反対方向に周回させている状態でシート状材料が巻き付けられているとともに、該シート状材料の開放端側を心棒部材の反対側に保持する保持部材と、を備えて、
保持部材は、シート状材料の巻き癖により移動可能な程度の重量に設定されて、開放端側のシート状材料を巻き付ける相手に取り付ける取付手段を他端側に有するとともに、該取付手段を解放可能に連結されていることを特徴とする巻付部材。
【請求項３】
前記シート状材料は、幅狭で長尺な帯状のテープ形態に形成されていることを特徴とする請求項１または２に記載の巻付部材。
【請求項４】
前記シート状材料は、巻き付ける相手に対して斜めの姿勢で取り付ける取付手段を端部に有することを特徴とする請求項１から３のいずれかに記載の巻付部材。
【請求項５】
電線の外周に巻き付ける電線プロテクタであって、
上記請求項１から４のいずれかに記載の巻付部材のシート状材料を巻き付ける相手に取り付ける取付手段として、巻き付ける相手の電線に固定する固定手段を該シート状材料の端部に備えることを特徴とする電線プロテクタ。
【請求項６】
電線に取り付けて該電線の作業箇所を覆う電線カバーであって、
２つ割りにすることにより電線の作業箇所を内部に内装可能に形成されているカバー本体と、上記請求項１から４のいずれかに記載の巻付部材と、を備えており、
電線を外部に引き出した状態にしたカバー本体の外面に巻付部材のシート状材料を巻き付けて該カバー本体を閉止した状態にすることを特徴とする電線カバー。
【発明の詳細な説明】
【技術分野】
【０００１】
本発明は、巻付部材および電線プロテクタ並びに電線カバーに関し、詳しくは、自力で相手に巻き付いて、例えば、電線を覆って保護したり、カバー本体を閉止状態にすることのできるものに関する。
【背景技術】
【０００２】
従来、電線の外被を剥いで内部の導電線を導通接続することにより、電線の端部同士を接続して直線状に延長したり、電線途中に端部を接続して分岐させたり、高圧電線を絶縁碍子により電柱などに引き留めるなどの各種作業が行われており、その接続箇所などの作業箇所には、絶縁テープを巻き付けて保護するようにしたり、あるいは、その作業箇所を内装可能なカバーを取り付けて保護するのが一般的である。
【０００３】
しかしながら、部材の周囲にテープなどを巻くには、テープを心材に巻き回している状態から引き出して相手の周囲に巻き付ける作業を頻繁に繰り返す必要があり、その作業に手間が掛かる。例えば、電線の接続箇所の周囲に絶縁テープを巻く際に、その電線からの絶縁距離を取るために、ヤットコなどの道具を利用して遠隔位置からこのテープ巻き作業をスムーズに行うのは難しい。
【０００４】
また、二つ割り可能なカバーを広げて内部に作業箇所の部材を内装した状態にした後に、そのカバーを閉止するには、例えば、縦断面形状が矢印状の突起を相手側の差込穴内に差し込んで係止させる構造をそのカバーの縁に設けることが多用されている（例えば、特許文献１、２参照）。しかるに、この保護カバーの場合でも、同様に、電線の作業箇所にカバー本体を被せてその周縁部の突起を差込穴内に差し込む作業を、ヤットコなどの道具を利用して遠隔位置からスムーズに行うのは難しい。
【特許文献１】特開２００３−２６４９１７号公報
【特許文献２】特開平５−１７６４４０号公報
【発明の開示】
【発明が解決しようとする課題】
【０００５】
そこで、本発明は、同じ動作を頻繁に繰り返すことなく、また、細かい部位を把持するなどの操作を必要とすることなく、相手に自力で巻き付き固定させることを実現することにより、容易に相手を保護する状態にしたり、あるいは、所望の部材を相手に固定するなどの作業を簡易に行い得るようにして、例えば、電線の外面を容易に直接保護したり、電線の接続箇所にカバーを容易に取り付けることのできる巻付部材および電線プロテクタ並びに電線カバーを提供することを目的とする。
【課題を解決するための手段】
【０００６】
上記課題を解決する巻付部材の第１の発明は、巻き癖の付いているシート状材料と、該シート状材料を一端側から外部に引き出し可能に少なくとも当該シート状材料の中間部分を収容する収容部材と、を備えて、収容部材は、シート状材料の巻き癖により移動可能な程度の重量に設定されているとともに、シート状材料の引出方向の長さが一回の作業で巻き付けたいシート状材料の巻付量程度に形成されていることを特徴とするものである。
【０００７】
この発明では、シート状材料の一端側をテープで固定したり挟み込むなどして相手に取り付けた後に収容部材を把持してその取付箇所から離隔させることにより、そのシート状材料を収容部材から引き出した後にその収容部材を把持する状態から解放する。すると、シート状材料は、自身の巻き癖の方向に屈曲しようとして、その巻き癖による屈曲力よりも軽量の収容部材を回動させつつ屈曲する。このとき、収容部材は、シート状材料の巻き付けたい長さ程度になっているので、相手の部材よりも手前のシート状材料に突き当たってその巻き癖の屈曲力を自身に付勢させて回動を完結させてしまうことなく、その相手に側面を突き当て滑ることを許容する状態になって、シート状材料の巻き癖による屈曲を継続させることができる。したがって、シート状材料は収容部材から引き出した分だけ相手に巻き付くことができる。
【０００８】
上記課題を解決する巻付部材の第２の発明は、巻き癖の付いているシート状材料と、一端側の心棒部材に巻き癖と反対方向に周回させている状態でシート状材料が巻き付けられているとともに、該シート状材料の開放端側を心棒部材の反対側に保持する保持部材と、を備えて、保持部材は、シート状材料の巻き癖により移動可能な程度の重量に設定されて、開放端側のシート状材料を巻き付ける相手に取り付ける取付手段を他端側に有するとともに、該取付手段を解放可能に連結されていることを特徴とするものである。
【０００９】
この発明では、シート状材料の開放端側を保持部材の取付手段により相手に取り付けた後にその保持部材から取付手段を外して（解放して）自由にする。すると、シート状材料は、取付手段の周りを周回するように自身の巻き癖の方向に屈曲しようとして、その巻き癖による屈曲力よりも軽量の保持部材を回動させつつ屈曲する。このとき、保持部材は、シート状材料を心棒部材に巻き癖と反対向きに巻き付けているので、シート状材料を反対向きに徐々に屈曲させて巻き癖による屈曲力による周回を継続させることができる。したがって、シート状材料は保持部材（心棒部材）に巻き付けている分だけ相手に巻き付くことができる。
【００１０】
上記課題を解決する巻付部材の第３の発明は、上記第１または第２の発明の特定事項に加え、前記シート状材料は、幅狭で長尺な帯状のテープ形態に形成されていることを特徴とするものである。
【００１１】
この発明では、テープ形態のシート状材料を相手に巻き付けることができる。したがって、幅広のシート状材料では、相手の大面積の外面を周回して覆うことができるのに対して、幅狭に形成されていることから小面積の箇所で周回して巻き付けることができる。
【００１２】
上記課題を解決する巻付部材の第４の発明は、上記第１から第３のいずれかの発明の特定事項に加え、前記シート状材料は、巻き付ける相手に対して斜めの姿勢で取り付ける取付手段を端部に有することを特徴とするものである。
【００１３】
この発明では、相手に斜めの姿勢で周回して巻き付けることができる。したがって、巻き付き箇所をずらしながら巻き付くことができる。
【００１４】
上記課題を解決する電線プロテクタの第１の発明は、電線の外周に巻き付ける電線プロテクタであって、上記巻付部材の第１から第４のいずれか発明におけるシート状材料を巻き付ける相手に取り付ける取付手段として、巻き付ける相手の電線に固定する固定手段を該シート状材料の端部に備えることを特徴とするものである。
【００１５】
この発明では、相手の電線に取付手段の固定手段により取付・固定してシート状材料を巻き付けて覆うことができる。したがって、テープを引き出して相手に巻き付ける作業を頻繁に繰り返すことなく、電線の外周に直接シート状材料を自動的に複数回巻き付けた状態にして容易に保護することができる。
【００１６】
上記課題を解決する電線カバーの第１の発明は、電線に取り付けて該電線の作業箇所を覆う電線カバーであって、２つ割りにすることにより電線の作業箇所を内部に内装可能に形成されているカバー本体と、上記第１から第４のいずれか発明の巻付部材と、を備えており、電線を外部に引き出した状態にしたカバー本体の外面に巻付部材のシート状材料を巻き付けて該カバー本体を閉止した状態にすることを特徴とするものである。
【００１７】
この発明では、相手の電線の接続箇所などの作業箇所にカバー本体を被せて閉止する状態に保持しつつ、その電線の引出部や胴体部などの周囲にシート状材料を巻き付けることができる。したがって、突起を差込穴に差し込むような細かい作業を行うことなく、電線の接続箇所などに設置した保護カバーの引出部などにシート状材料のテープ状材料などを自動的に巻き付けてその閉止状態を維持することができ、その取付作業を容易に完了することができる。
【発明の効果】
【００１８】
このように本発明によれば、相手にシート状材料の端部を取り付けて、引き出した後に放したり、そのまま放すだけで、シート状材料の巻き癖により自動的に相手に巻き付けることができ、その取付作業を完了することができる。したがって、テープ材料を短く引き出する作業を頻繁に繰り返して巻き付ける作業を行うことなく、また、細かい部位を操作するなど煩雑な作業を行うことなく、相手にシート状材料を巻き付けて保護したり、取付固定する部材として機能させることができる。この結果、例えば、電線の外面に簡単に巻き付けてプロテクタとして機能させたり、あるいは、電線の接続箇所などに被せる保護カバーの必要な箇所に巻き付けて容易に取付・固定することができる。
【発明を実施するための最良の形態】
【００１９】
以下、本発明の最良の実施形態を図面に基づいて説明する。図１〜図６は本発明に係る巻付部材を備える電線プロテクタの第１実施形態を示す図である。
【００２０】
図１において、電線プロテクタは、幅狭で長尺な帯状に形成されて巻き癖の付与されているテープ状材料１１と、このテープ状材料１１を先端部１１ａから引き出して使用するように内部に収容する収容部材１３と、そのテープ状材料１１の先端部１１ａを巻き付ける対象物の電線Ｄに取付・固定するＣリング部材（取付・固定手段）１５と、を備えている。
【００２１】
テープ状材料１１は、電線Ｄよりも小さな内径に屈曲する巻き癖を付与するように樹脂材料により作製されており、軸部材１２にその巻き癖の方向に逆らわないように巻き付けられている。このテープ状材料１１は、収容部材１３に収容された状態のまま自由に屈曲可能に垂下されたときには、その収容部材１３を持ち上げて巻かれている状態に戻ろうとする屈曲力を発揮するように作製されている。ここで、このテープ状材料１１は、幅狭で長尺な帯状に限ることはなく、例えば、対象物に巻き付ける面積が広く周回数を少なく覆う状態にする場合には、幅広のシート状材料にしてもよいことは言うまでもない。
【００２２】
収容部材１３は、テープ状材料１１の先端部１１ａを一端側の差込口１３ａから差し込まれて反対側の引出口１３ｂから引き出される収容経路１３ｃが内部に形成されており、その収容経路１３ｃ内にテープ状材料１１の中間部１１ｂを収容する状態にして保持することができるように設計されている。この収容部材１３は、テープ状材料１１が軸部材（心棒部材）１２側に巻き付こうとして一端側端面１３ｄに突き当たって先端部１１ａを引き戻そうとすることから、その反対側端面１３ｅの引出口１３ｂには、テープ状材料１１の一面側に平行の姿勢で対面するように外側端辺を外方に延長されている突出部１６と、同様に外方に延長されているとともにその突出部１６に突き当たるように傾斜する突当部１７とが形成されている。これにより、収容部材１３は、差込口１３ａからテープ状材料１１を差し込んだときにその突当部１７を弾性変形させて引出口１３ｂを開口させるように押し退けることにより先端部１１ａを外部に引き出すことができ、また、その突当部１７がテープ状材料１１を突出部１６に押し付けるように突き当たることによりテープ状材料１１が引き戻す方向に後退することを制限して収容経路１３ｃ内に中間部１１ｂが位置する状態で保持することができる。ここで、この収容部材１３は、垂下されている状態でのテープ状材料１１の自由な屈曲を妨げないように、軽量に作製されている。また、テープ状材料１１の全体を内部に収容した状態にして引出口１３ｂから引き出して利用するようにしてもよいことは言うまでもない。
【００２３】
Ｃリング部材１５は、電線Ｄよりも小さめの内径で湾曲しているとともに端部１５ａ間がその電線Ｄ径よりも狭い間隔で離隔して開口しており、その端部１５ａは、電線Ｄを押し付けるだけで離隔方向に拡開して内部に滑り込ませることができるように反り返った形状に形成されている。このＣリング部材１５は、テープ状材料１１の先端部１１ａの一面側に両面テープ１８を貼付することによりその先端部１１ａが内面に貼り付けられて固定されており、その先端部１１ａの他面側にも両面テープ１８が貼付されて内部に押込まれた電線Ｄの外面に固着させるようにして取付・固定する。
【００２４】
したがって、テープ状材料１１は、図２に示すように、軸部材１２に巻かれている状態から先端部１１ａを引き出すようにして伸ばすとともに収容部材１３の差込口１３ａから差し込んで引出口１３ｂから露出する状態にした後に、その延在方向がＣリング部材１５に対して（図２中に一点鎖線で示すＣリング部材１５の円弧の軸心に対して）斜めになるようにその先端部１１ａの一面側の両面テープ１８をそのＣリング部材１５の内面に貼付して取付固定することができる。
【００２５】
この組立後に、収容部材１３は、引出口１３ｂから引き出されているテープ状材料１１の先端部１１ａのＣリング部材１５の近傍を突出部１６と突出部１６の間で挟み込むことによりその位置で保持することができ、例えば、絶縁性を確保しつつ作業することのできる図６に示すヤットコ１００を用いることにより安全に作業することができる。具体的には、図３に示すように、スリーブＳにより端部同士を導通接続させて延長されている架線の電線Ｄであっても、電気的に安全な遠隔位置から作業する間接活線工法により、Ｃリング部材１５の端部１５ａ間にそのスリーブＳ近傍の電線Ｄを押し付けるようにヤットコ１００の先端で摘むようにするだけで、その電線ＤをＣリング部材１５の内部に収納するのと同時にテープ状材料１１の他面側の両面テープ１８を貼付させて垂下する状態に取付固定することができる。
【００２６】
この状態では、テープ状材料１１は、収容部材１３を巻き込む方向に自身の巻き癖により屈曲しようとするが、Ｃリング部材１５が収容部材１３の引出口１３ｂ側に当接する程度にしか引き出されていないことから、図４に示すように、収容部材１３をヤットコ１００により把持して下方に引くことにより、軸部材１２を回転させつつその収容部材１３内から引き出すようにして延長することができ、収容部材１３の長さ未満の引出長でヤットコ１００から解放することにより、巻き癖により屈曲して収容部材１３を持ち上げるように回動させることができる。
【００２７】
このとき、収容部材１３は、電線Ｄの外面に突き当たる状態になるが、長さ方向にスライドすることができることから、その状態からテープ状材料１１がさらに屈曲を継続して回動されることになる。よって、テープ状材料１１は、電線Ｄの周囲に斜めの姿勢で横にずれつつ巻き付くことができ、その電線Ｄが収容部材１３の引出口１３ｂ側に当接することによりさらに屈曲することが制限されて巻き付きを停止する。
【００２８】
この後には、テープ状材料１１は、同様に、収容部材１３をヤットコ１００により把持してその収容部材１３内から引き出して放すことにより、スリーブＳを完全に覆うように電線Ｄの周囲に巻き付けることができる。この結果、テープ状材料１１は、そのスリーブＳを完全に覆った後に、収容部材１３の引出口１３ｂ側と電線Ｄとの間でヤットコ１００の先端に取り付けた例えば、不図示のハサミなどの切断道具により切断することにより、図５に示すように電線Ｄの周囲に巻き付いてスリーブＳの外面を保護する状態にすることができる。
【００２９】
ここで、ヤットコ１００は、例えば、図６に示すように、目的物を把持する把持部１１０と、作業者が操作する操作部１２０と、この操作部１２０が手元側に配置されるとともに把持部１１０が離隔する先端位置に連結されてその操作部１２０からの操作力を把持部１１０に伝達して動作させる支持伝達部１３０と、を備えている。このヤットコ１００の把持部１１０は、支持伝達部１３０の支持棒１３１の先端側に固設（連結）されている不動部材（回動部材）１１１と、操作部１２０からの操作力を伝達される支持伝達部１３０の伝達棒１３２先端側に連設されて支持棒１３１側に配設された回動軸１１３により相対回動自在に支持されている可動部材（回動部材）１１２とを備えており、操作部１２０のハンドル１２２を操作することにより可動部材１１２が不動部材１１１に対して相対的に回動することによって、それぞれの先端部１１１ａ、１１２ａが接離して、目的物を掴んだり離したりすることができる。なお、このヤットコ１００には、掴む側からの水分を滴下させる傘カバー１３４と、掴む側からの絶縁性を考慮して安全に作業を行い得る限界位置を示す傘カバー１３５とを備えて、概略全体をプラスチックやゴム材料などの絶縁材料で作製されることにより絶縁性が確保されている。
【００３０】
このように本実施形態においては、電線Ｄにテープ状材料１１の先端部１１ａをＣリング部材１５により取付固定するとともに、そのテープ状材料１１が電線Ｄ以外の場所で巻き癖方向に屈曲して巻き付き動作を終了してしまうことを収容部材１３により回避しつつ、テープ状材料１１をその収容部材１３内から適度に引き出して放すだけで、その電線Ｄと共にスリーブＳを覆う状態にテープ状材料１１が自動的に自力で巻き付くことができる。したがって、テープ状材料１１を電線Ｄにヤットコ１００により直接巻き付けるような煩雑な作業を繰り返すことなく、電線Ｄと共にスリーブＳの外面を覆うようにテープ状材料１１を容易に巻き付けて保護するプロテクタとして機能させることができる。
【００３１】
次に、図７〜図１０は本発明に係る巻付部材を備える電線プロテクタの第２実施形態を示す図である。
【００３２】
図７において、電線プロテクタは、上述第１実施形態と同様のテープ状材料１１と、このテープ状材料１１を巻き付けた状態にして保持する保持部材２３と、この保持部材２３に着脱可能に取り付けられてテープ状材料１１を巻き付けた状態に保持するようにその先端部１１ａを固着されているとともに巻き付ける対象物の電線Ｄに取付・固定するＣリング部材（取付・固定手段）２７と、を備えている。
【００３３】
テープ状材料１１は、電線Ｄよりも小さな内径に屈曲する巻き癖と反対向きになるように保持部材２３の軸部材（心棒部材）２５に巻き付けられており、このテープ状材料１１は、保持部材２３による保持から解放されたときには、その保持部材２３を持ち上げて巻かれている状態に戻ろうとする屈曲力を発揮するように作製されている。ここで、このテープ状材料１１は、上述第１実施形態と同様に、幅狭で長尺な帯状に限ることはなく、例えば、対象物に巻き付ける面積が広く周回数を少なく覆う状態にする場合には、幅広のシート状材料にしてもよいことは言うまでもない。
【００３４】
保持部材２３は、図８に示すように、巻き付いている状態のテープ状材料１１の厚さＴ程度の長さの棒形状に作製されている本体部２４の先端側端部にＣリング部材２７が取り付けられているとともに反対側端部に軸部材２５が取り付けられている。軸部材２５は、その本体部２４の延在方向と直交する向きに固着されてテープ状材料１１が巻き付けられており、Ｃリング部材２７は、その本体部２４の先端側端部の端面２４ａ（図９を参照）に円弧部が位置するように取り付けられている。
【００３５】
Ｃリング部材２７は、図９に示すように、上述第１実施形態のＣリング部材１５と同様に、電線Ｄよりも小さめの内径で湾曲しているとともに端部２７ａ間がその電線Ｄ径よりも狭い間隔で離隔して開口しており、その端部２７ａの一方には、押し付けることにより内部に収納させた電線Ｄが外部に押し出されてしまわないように、開口方向に突出するカエシ２７ｂが形成されている。このＣリング部材２７は、テープ状材料１１の先端部１１ａの両面に貼付されている両面テープ１８により内面にそのテープ状材料１１の先端部１１ａが固着されているとともに、内部に押込まれた電線Ｄの外面にその両面テープ１８を固着させるようにして取付・固定する。
【００３６】
このＣリング部材２７は、端部２７ａ間の反対側円弧部に、表裏に貫通する貫通穴２７ｃが２箇所形成されており、その貫通穴２７ｃに保持部材２３の本体部２４の端面２４ａから突出する突起２４ｂを差し込まれることにより仮固定されているとともに離隔方向に引くことによりその突起２４ｂを貫通穴２７ｃから離脱させて外すことができる。
【００３７】
また、保持部材２３は、図１０に示すように、本体部２４の端面２４ａの一辺側から他辺側に向ってＣリング部材２７を覆うように湾曲形状に形成されているカバー部材２６が連設されており、このカバー部材２６は、本体部２４の端面２４ａの一辺側に形成されているヒンジ部２６ａにより回動自在に連設されているとともに、その端面２４ａの他辺側に設けられている受け部２６ｂに先端側を嵌め込むことによりＣリング部材２７（電線Ｄ）を内装した状態のまま本体部２４を吊り下げることができる。
【００３８】
したがって、テープ状材料１１は、上述第１実施形態と同様に、その延在方向がＣリング部材２７に斜めになるようにその先端部１１ａを固着するとともに、そのＣリング部材２７を本体部２４の先端に取り付けられている保持部材２３は、図６に示すヤットコ１００の先端で本体部２４を摘まんでその先端側のＣリング部材２７の端部２７ａ間に、スリーブＳ近傍の電線Ｄを押し付けるようにするだけで、その電線ＤをＣリング部材２７内に収納するとともに両面テープ１８により固着してテープ状材料１１の先端部１１ａを取付・固定することができる。この後に、保持部材２３は、カバー部材２６をヒンジ部２６ａにより回動させて先端部を受け部２６ｂ内に嵌め込むことにより電線Ｄに吊り下げ可能に連結することができる。
【００３９】
この状態では、テープ状材料１１は、保持部材２３の本体部２４の両端側に配設されている軸部材２５とＣリング部材２７に固定されていることにより自身の巻き癖により屈曲することを制限されているが、その本体部２４をヤットコ１００で摘まんで引くことにより、Ｃリング部材２７の貫通穴２７ｃから本体部２４の突起２４ｂを離脱させることができ、そのＣリング部材２７と本体部２４の連結状態を解除して自由に相対回動可能な状態にすることができる。
【００４０】
このとき、テープ状材料１１は、保持部材２３による巻き癖による屈曲の制限が解放されることになって、その屈曲方向の解放されている先端部１１ａ側から順次にその巻き癖方向に屈曲することができ、Ｃリング部材２７に対してカバー部材２６により自由回転可能に連結されている状態の保持部材２３の本体部２４をその屈曲力により回動させる。この結果、テープ状材料１１は、Ｃリング部材２７により固定されている電線Ｄに巻き戻す方向にズレながら巻き付くことになって、スリーブＳを完全に覆うように電線Ｄの周囲に巻き付けることができる。この後には、テープ状材料１１を軸部材２５から外すか切断するとともに、カバー部材２６の先端部を受け部２６ｂから外すことにより保持部材２３を回収することができる。ここで、テープ状材料１１の巻き癖による屈曲力が強く、カバー部材２６がなくても電線Ｄの周りを周回することができる場合には、そのカバー部材２６を省略してもよいことは言うまでもない。
【００４１】
このように本実施形態においては、上述第１実施形態と同様に、電線Ｄにテープ状材料１１の先端部１１ａをＣリング部材１５により取付固定するとともに、そのＣリング部材２７をカバー部材２６により覆う状態にして自由な回動を許可することにより、そのテープ状材料１１は、巻き癖による屈曲力により電線Ｄの周りを回動してスリーブＳと共に覆う状態に自動的に巻き付けることができる。したがって、テープ状材料１１を電線Ｄにヤットコ１００により直接巻き付ける煩雑な作業を繰り返すことなく、電線Ｄを延長接続するスリーブＳの外面を覆うようにテープ状材料１１を容易に巻き付けて保護するプロテクタとして機能させることができる。
【００４２】
次に、図１１および図１２は本発明に係る巻付部材を備える電線カバーの一実施形態を示す図である。
【００４３】
図１１において、電線カバーは、カバー本体３１内に配電線の分岐箇所（作業箇所）を内部に収容して保護するように設計されており、このカバー本体３１は、図１２に示すように、上述第２実施形態における電線プロテクタを閉止部材３５として利用して、電線Ｄを内部から引き出した状態にする端部の引出口３２、３３にテープ状材料１１を巻き付けることにより閉じることができる。
【００４４】
カバー本体３１は、電線Ｄを引き出す引出口３２、３３間の一辺側（図中、上側）にヒンジ部３４が形成されているとともに、そのヒンジ部３４の両端側から他辺側（図中、下側）が開閉可能に割り形状に形成されることにより、そのヒンジ部３４を中心に図の紙面に対する表裏側をそれぞれ離隔方向に回動させることによりその内部を開放して電線Ｄの分岐箇所を内装することができる。
【００４５】
このカバー本体３１の引出口３２は、内部を開放して内装した電線Ｄの一端側を引出可能に開口しているとともに、その外被に密接するように弾性変形する複数片のクチバシ形状３２ａが形成されており、引出口３３も、同様に、その電線Ｄの他端側を引き出すとともに不図示のコネクタにより分岐接続した電線（例えば、引下線）Ｄを一緒に引出可能に引出口３２よりも大口径に形成されて開口しているとともに、それぞれの外被に密接するように弾性変形する複数片のクチバシ形状３３ａが形成されている。
【００４６】
また、この引出口３２、３３は、内部から引き出した電線Ｄの外被に密接するクチバシ形状３２ａ、３３ａの先端部に、そのままの口径で延長されている延長部３２ｂ、３３ｂが形成されており、その延長部３２ｂ、３３ｂも、複数片に分割されて電線Ｄの外被に密接させることができる。
【００４７】
したがって、カバー本体３１は、図６に示すヤットコ１００を用いて、電線Ｄの分岐箇所に取り付けて保護する作業を行う際に、カバー本体３１の延長部３１ａを把持して閉めた状態を維持するとともに、引出口３２、３３から電線Ｄを引き出した状態にしつつクチバシ形状３２ａ、３３ａをその外被に圧接させて位置決め保持する状態で、上述第２実施形態の電線プロテクタの閉止部材３５によりその引出口３２、３３を固定することにより閉止することができる。
【００４８】
すなわち、その閉止部材３５は、Ｃリング部材２７をその引出口３２、３３の延長部３２ｂ、３３ｂの隣接位置で所望の向きに固定するとともにカバー部材２６内に電線Ｄと共にそのＣリング部材２７を収納した後に、その電線プロテクタの本体部２４をヤットコ１００で摘まんで引くことにより、テープ状材料１１をその巻き癖による屈曲力により本体部２４とともに回動させることができる。この結果、テープ状材料１１は、Ｃリング部材２７により固定されている電線Ｄにズレながら巻き付くことによって、そのカバー本体３１の引出口３２、３３の延長部３２ｂ、３３ｂからクチバシ形状３２ａ、３３ａ付近まで覆う状態に巻き付いてそのカバー本体３１を閉止固定することができる。
【００４９】
ここで、この閉止部材３５は、テープ状材料１１の先端部１１ａをＣリング部材２７に対して連続するように（斜めにするのではなく湾曲方向に一致するように）固着して利用してもよい。この場合には、カバー本体３１の引出口３２、３３の延長部３２ｂ、３３ｂ内にＣリング部材２７が位置するように電線Ｄに固定した後に、その延長部３２ｂ、３３ｂ間から外面側にテープ状材料１１を露出する状態にして、本体部２４をヤットコ１００で摘まんで引くことにより、テープ状材料１１をその延長部３２ｂ、３３ｂの周囲で本体部２４とともに周回（回動）させることにより巻き付けさせてカバー本体３１を閉止固定することができる。
【００５０】
このように本実施形態においては、上述第２実施形態と同様に、テープ状材料１１の巻き癖による屈曲力により、カバー本体３１の引出口３２、３３の延長部３２ｂ、３３ｂの周りにそのテープ状材料１１を自動的に巻き付けることができる。したがって、二つ割り可能なカバー本体３１を閉止するために、そのカバー本体３１の周縁部に形成準備されている突起を差込穴内に差し込むような細かくて煩雑作業をヤットコ１００により遠隔位置から作業する必要がなく、電線Ｄに先端部１１ａを固着させたテープ状材料１１を簡易な操作で巻き付けるだけでそのカバー本体３１を閉止させることができる。
【００５１】
本実施形態の他の態様としては、本実施形態では、上述第２実施形態の電線プロテクタを閉止部材３５として利用する場合を一例にして説明するが、これに限るものではなく、上述第１実施形態の電線プロテクタを用いてもよいことは言うまでもない。
【００５２】
また、この閉止部材３５は、このカバー本体３１のタイプにのみ利用することができるものではなく、他のタイプの電線カバーにも適用できることは言うまでもなく、例えば、図１３および図１４に示すように、高圧電線の引留箇所（作業箇所）を内部に収納して保護するカバーにも利用することができる。具体的には、そのカバー本体４１の延長部４１ａを把持しつつ引出口４２〜４４のクチバシ形状４２ａ〜４４ａ先端の延長部４２ｂ〜４４ｂに、閉止部材４５としてテープ状材料１１を巻き付けて閉止することができる。ただし、この場合には、上述第２実施形態の電線プロテクタの方がコンパクトに設計することができることから、引出口４２、４４の延長部４２ｂ、４４ｂが近傍に存在するタイプの場合には、上述第１実施形態の電線プロテクタよりも有利である。なお、図１４中の４６はカバー本体４１の開閉を可能にするヒンジであり、Ｗは高圧電線Ｄを引き止めるワイヤーである。
【００５３】
さらに、開閉するタイプに限るものではなく、例えば、図１５に示すように、筒状のカバーにも適用することができ、この場合には、そのカバー本体５１の両端部の引出口５２、５３に限ることなく、その全体をテープ状材料１１により覆って保護するようにしてもよいことは言うまでもない。
【産業上の利用可能性】
【００５４】
これまで本発明の一実施形態について説明したが、本発明は上述の実施形態に限定されず、その技術的思想の範囲内において種々異なる形態にて実施されてよいことは言うまでもない。
【図面の簡単な説明】
【００５５】
【図１】本発明に係る巻付部材を備える電線プロテクタの第１実施形態を示す図であり、その概略全体構成を示す透視側面図である。
【図２】その組立の一例の状態を示す斜視図である。
【図３】その使用を説明する始めの状態を示す斜視図である。
【図４】その使用を説明する図３に続く状態を示す斜視図である。
【図５】その使用を説明する電線への巻付完了時の状態を示す斜視図である。
【図６】その使用時に利用する絶縁道具を示す平面図である。
【図７】本発明に係る巻付部材を備える電線プロテクタの第２実施形態を示す図であり、その概略全体構成を示す平面図である。
【図８】その要部部品の構成を説明する斜視図である。
【図９】その要部部品の要部構造を示す図であり、（ａ）はその分解斜視図、（ｂ）はその分解側面図である。
【図１０】その要部部品の構成を説明する図であり、（ａ）はその使用前の状態を示す側面図、（ｂ）はその使用時の状態を示す側面図である。
【図１１】本発明に係る巻付部材を備える電線カバーの一実施形態を示す図であり、その閉止部材を使用する前の構成を示す平面図である。
【図１２】その閉止部材を使用して閉止した状態を示す平面図である。
【図１３】その第１の他の態様を示す図であり、その閉止部材を使用する前の構成を示す平面図である。
【図１４】その他の態様の閉止部材を使用することにより閉止した状態を示す平面図である。
【図１５】その第２の他の態様を示す図であり、その閉止部材を使用する前の構成を示す平面図である。
【符号の説明】
【００５６】
４２ａ〜４４ａ……クチバシ形状    ４２〜４４……引出口    ４２ｂ〜４４ｂ……延長部    １１……テープ状材料    １１ａ……先端部    １２、２５……軸部材    １３……収容部材    １３ａ……差込口    １３ｂ……引出口    １３ｃ……収容経路    １５、２７……Ｃリング部材    １５ａ、２７ａ……端部    １６……突出部    １７……突当部    １８……両面テープ    ２３……保持部材    ２４……本体部    ２４ｂ……突起    ２６……カバー部材    ２６ａ……ヒンジ部    ２６ｂ……受け部    ２７ｂ……カエシ    ２７ｃ……貫通穴    ３１、４１、５１……カバー本体    ３１ａ、４１ａ……延長部    ３２、３３、４２〜４４、５２、５３……引出口    ３２ａ、３３ａ、４２ａ〜４４ａ……クチバシ形状    ３２ｂ、３２ｂ、４２ｂ〜４４ｂ……延長部    ３４、４６……ヒンジ部    ３５、４５……閉止部材    １００……ヤットコ    １１０……把持部    １２０……操作部    １２２……ハンドル    １３０……支持伝達部    Ｄ……電線    Ｓ……スリーブ
【図１】
2009118584.tif 000003
【図２】
2009118584.tif 000004
【図３】
2009118584.tif 000005
【図４】
2009118584.tif 000006
【図５】
2009118584.tif 000007
【図６】
2009118584.tif 000008
【図７】
2009118584.tif 000009
【図８】
2009118584.tif 000010
【図９】
2009118584.tif 000011
【図１０】
2009118584.tif 000012
【図１１】
2009118584.tif 000013
【図１２】
2009118584.tif 000014
【図１３】
2009118584.tif 000015
【図１４】
2009118584.tif 000016
【図１５】
2009118584.tif 000017